(57)【要約】【課題】画像の表示品質を向上させたバックライトアセンブリ及びこれを有する表示装置を開示する。【解決手段】バックライトアセンブリは、発光ダイオード及び駆動基板を含む。発光ダイオードは複数の単位ブロックに区分され個別的に駆動される。駆動基板は発光ダイオードが装着される。単位ブロックのそれぞれの外郭は隣り合う単位ブロックの外郭と互いにかみ合うようにギア鋸の歯形状を有する。このように、単位ブロックの外郭がギア鋸の歯形状を有することにより、単位ブロックの境界地点で輝度の差異が大きく発生することを防止して画像の表示品質を向上させることができる。【選択図】図２
2008147187.tif 000002
【特許請求の範囲】
【請求項１】
外郭が隣り合う単位ブロックの外郭と互いにかみ合うようにギア鋸の歯形状を有する複数の単位ブロックに区分される複数の発光ダイオードと、
前記発光ダイオードが装着される駆動基板と、を含むバックライトアセンブリ。
【請求項２】
前記単位ブロックは、個別的に駆動されることを特徴とする請求項１記載のバックライトアセンブリ。
【請求項３】
第２単位ブロックは、第１単位ブロックを中心に同一角度ずつ回転された位置に配置されることを特徴とする請求項２記載のバックライトアセンブリ。
【請求項４】
前記同一角度は、９０°及び６０°のうち、いずれか１つであることを特徴とする請求項３記載のバックライトアセンブリ。
【請求項５】
前記第１及び第２単位ブロックは、互いに同一形状を有することを特徴とする請求項３記載のバックライトアセンブリ。
【請求項６】
前記第１及び第２単位ブロックの外郭は、三角形形状のギア鋸の歯形状を有することを特徴とする請求項５記載のバックライトアセンブリ。
【請求項７】
前記第１及び第２単位ブロックの外郭は、四角形形状のギア鋸の歯形状を有することを特徴とする請求項５記載のバックライトアセンブリ。
【請求項８】
前記第１及び第２単位ブロックは、互いに異なる形状を有することを特徴とする請求項３記載のバックライトアセンブリ。
【請求項９】
前記第２単位ブロックは、前記第１単位ブロックを中心に９０°に回転された位置に配置され、
前記第１及び第２単位ブロックの外郭は、三角形形状のギア鋸の歯形状を有することを特徴とする請求項８記載のバックライトアセンブリ。
【請求項１０】
前記発光ダイオードは、前記第１単位ブロックの中心及び前記第２単位ブロックの中心を結ぶ仮想の中心線を基準として４５°傾斜する方向に沿って配置されることを特徴とする請求項９記載のバックライトアセンブリ。
【請求項１１】
前記駆動基板は、前記単位ブロックと対応される複数の単位基板を含むことを特徴とする請求項１記載のバックライトアセンブリ。
【請求項１２】
前記発光ダイオードは、複数の赤色発光ダイオード、複数の緑色発光ダイオード、及び複数の青色発光ダイオードを含むことを特徴とする請求項１記載のバックライトアセンブリ。
【請求項１３】
前記発光ダイオードは、複数の白色発光ダイオードを含むことを特徴とする請求項１記載のバックライトアセンブリ。
【請求項１４】
複数の単位ブロックに区分される複数の発光ダイオード及び前記発光ダイオードが装着された駆動基板を含み、前記単位ブロックのそれぞれの外郭は隣り合う前記単位ブロックの外郭と互いにかみ合うバックライトアセンブリと、
前記バックライトアセンブリの上部に配列され、画像を表示する表示パネルと、を含む表示装置。
【請求項１５】
前記バックライトアセンブリ及び前記表示パネルと電気的に連結され、前記バックライトアセンブリ及び前記表示パネルを制御するコントローラユニットを更に含むことを特徴とする請求項１４記載の表示装置。
【請求項１６】
前記単位ブロックは、個別的に駆動されることを特徴とする請求項１４記載の表示装置。
【請求項１７】
前記表示パネルは、
薄膜トランジスタを有するアレイ基板と、
前記アレイ基板と対向する対向基板と、
前記アレイ基板及び前記対向基板の間に介在された液晶層と、を含むことを特徴とする請求項１４記載の表示装置。
【請求項１８】
前記単位ブロックは、複数の第１単位ブロック及び前記第１単位ブロックとかみ合うように隣り合う複数の第２単位ブロックを含むことを特徴とする請求項１４記載の表示装置。
【請求項１９】
前記第２単位ブロックは、前記第１単位ブロックを中心に同一角度ずつ回転された位置に配置されることを特徴とする請求項１８記載の表示装置。
【請求項２０】
前記同一角度は、９０°及び６０°のうち、いずれか１つであることを特徴とする請求項１９記載の表示装置。
【発明の詳細な説明】
【技術分野】
【０００１】
本発明は、バックライトアセンブリ及びこれを有する表示装置に関し、より詳細には画像の表示品質を向上させたバックライトアセンブリ及びこれを有する表示装置に関する。
【背景技術】
【０００２】
多様な平板表示装置のうちの１つである液晶表示装置は、液晶の電気的及び光学的特性を利用して画像を表示する。前記液晶表示装置は、他の表示装置に対して厚みが薄く、重量が軽く、低い消費電力及び低い駆動電圧で作動するという長所を有しているので、産業全般にかけて表示装置として多く使用されている。
前記液晶表示装置は、液晶の光透過率を利用して画像を表示する液晶表示パネル及び前記液晶表示パネルの下部に配置され前記液晶表示パネルに光を提供して透過されるようにするバックライトアセンブリを含む。
【０００３】
前記液晶表示パネルは、複数の単位画素に薄膜トランジスタが形成されたアレイ基板、カラーフィルタが形成された対向基板、及び前記２つの基板間に介在された液晶層を含む。この際、前記カラーフィルタは、前記単位画素と一対一で対応して複数個で構成され、赤色カラーフィルタ、緑色カラーフィルタ、及び青色カラーフィルタ等がある。
前記バックライトアセンブリは、前記液晶表示パネルに画像を表示するのに必要な光を発生させる光源を含む。前記光源には冷陰極線管ランプ（ＣＣＦＬ）、平板蛍光ランプ（ＦＦＬ）、発光ダイオード（ＬＥＤ）等の多様な構成を有する。
【０００４】
前記光源のうち、前記発光ダイオードはチップ形態に製作が可能で、高い輝度及び低い消費電力特性を有し、これによって最近、前記液晶表示装置の前記バックライトアセンブリの光源として多く使用されている。一般的に、前記発光ダイオードは複数個が駆動基板上に配置され、赤色発光ダイオード、緑色発光ダイオード、及び青色発光ダイオード等で構成される。
【０００５】
一般的に、前記バックライトアセンブリの全ての発光ダイオードを同時に駆動して光を生成する。しかし、前記バックライトアセンブリの全ての発光ダイオードを同時に駆動する場合、前記発光ダイオードの寿命が減少して前記バックライトアセンブリの消費電力が増加する。
又、前記バックライトアセンブリの消費電力を減少させるために、前記発光ダイオードを部分的に発光させる場合、前記発光ダイオードが発光された領域と発光されない領域の境界部が前記液晶表示パネル上に表示され前記液晶表示装置の画質が低下される。
【発明の開示】
【発明が解決しようとする課題】
【０００６】
従って、本発明の技術的課題は、このような従来の問題点を解決するためのもので、本発明の目的は、画像の表示品質を向上させたバックライトアセンブリを提供することにある。
本発明の他の目的は、前記バックライトアセンブリを有する表示装置を提供することにある。
【課題を解決するための手段】
【０００７】
上記課題を解決するために、発明１は、外郭が隣り合う単位ブロックの外郭と互いにかみ合うようにギア鋸の歯形状を有する複数の単位ブロックに区分される複数の発光ダイオードと、前記発光ダイオードが装着される駆動基板と、を含むバックライトアセンブリを提供する。
このように本実施例によると、各単位ブロックＢＬの外郭が隣り合う単位ブロックＢＬの外郭とかみ合うようにギア鋸の歯形状を有する。よって、互いに隣り合う単位ブロックＢＬの境界付近にミキシング領域（Ｍｉｘｉｎｇ  Ａｒｅａ）が形成される。これにより、単位ブロックＢＬの境界地点で輝度の差異が大きくなることを防止することができる。よって、画像の表示品質をより向上させることができる
発明２は、発明１において、前記単位ブロックは、個別的に駆動されることを特徴とする。
【０００８】
発明３は、発明２において、第２単位ブロックは、第１単位ブロックを中心に同一角度ずつ回転された位置に配置されることを特徴とする。
発明４は、発明３において、前記同一角度は、９０°及び６０°のうち、いずれか１つであることを特徴とする。
発明５は、発明３において、前記第１及び第２単位ブロックは、互いに同一形状を有することを特徴とする。
【０００９】
発明６は、発明５において、前記第１及び第２単位ブロックの外郭は、三角形形状のギア鋸の歯形状を有することを特徴とする。
発明７は、発明５において、前記第１及び第２単位ブロックの外郭は、四角形形状のギア鋸の歯形状を有することを特徴とする。
発明８は、発明３において、前記第１及び第２単位ブロックは、互いに異なる形状を有することを特徴とする。
【００１０】
発明９は、発明８において、前記第２単位ブロックは、前記第１単位ブロックを中心に９０°に回転された位置に配置され、前記第１及び第２単位ブロックの外郭は、三角形形状のギア鋸の歯形状を有することを特徴とする。
発明１０は、発明９において、前記発光ダイオードは、前記第１単位ブロックの中心及び前記第２単位ブロックの中心を結ぶ仮想の中心線を基準として４５°傾斜する方向に沿って配置されることを特徴とする。
【００１１】
発明１１は、発明１において、前記駆動基板は、前記単位ブロックと対応される複数の単位基板を含むことを特徴とする。
発明１２は、発明１において、前記発光ダイオードは、複数の赤色発光ダイオード、複数の緑色発光ダイオード、及び複数の青色発光ダイオードを含むことを特徴とする。
発明１３は、発明１において、前記発光ダイオードは、複数の白色発光ダイオードを含むことを特徴とする。
【００１２】
発明１４は、複数の単位ブロックに区分される複数の発光ダイオード及び前記発光ダイオードが装着された駆動基板を含み、前記単位ブロックのそれぞれの外郭は隣り合う前記単位ブロックの外郭と互いにかみ合うバックライトアセンブリと、前記バックライトアセンブリの上部に配列され、画像を表示する表示パネルと、を含む表示装置を提供する。
発明１５は、発明１４において、前記バックライトアセンブリ及び前記表示パネルと電気的に連結され、前記バックライトアセンブリ及び前記表示パネルを制御するコントローラユニットを更に含むことを特徴とする。
【００１３】
発明１６は、発明１４において、前記単位ブロックは、個別的に駆動されることを特徴とする。
発明１７は、発明１４において、前記表示パネルは、薄膜トランジスタを有するアレイ基板と、前記アレイ基板と対向する対向基板と、前記アレイ基板及び前記対向基板の間に介在された液晶層と、を含むことを特徴とする。
【００１４】
発明１８は、発明１４において、前記単位ブロックは、複数の第１単位ブロック及び前記第１単位ブロックとかみ合うように隣り合う複数の第２単位ブロックを含むことを特徴とする。
発明１９は、発明１８において、前記第２単位ブロックは、前記第１単位ブロックを中心に同一角度ずつ回転された位置に配置されることを特徴とする。
【００１５】
発明２０は、発明１９において、前記同一角度は、９０°及び６０°のうち、いずれか１つであることを特徴とする。
。
【発明の効果】
【００１６】
本発明によれば、画像の表示品質を向上させたバックライトアセンブリを提供することができる。
【発明を実施するための最良の形態】
【００１７】
以下、添付図面を参照して、本発明の好ましい実施例をより詳細に説明する。なお、下記において、同一とは概ね同一を含むものとする。例えば、同一角度とは概ね同一角度を含むものとし完全に同一角度である必要はない。同様に、同一形状とは概ね同一形状を含み、同一間隔とは概ね同一間隔を含み、同一面積とは概ね同一面積を含むものとする。
図１は、本発明の一実施例による表示装置を示す分解斜視図である。
【００１８】
図１を参照すると、本実施例による表示装置４００は、表示パネル１００、バックライトアセンブリ２００、及びコントローラユニット３００を含み、コントローラユニット３００から提供された画像信号に基づいて画像を外部に表示する。
表示パネル１００は、アレイ基板１１０、対向基板１２０、液晶層１３０、印刷回路基板１４０、及びフレキシブル回路フィルム１５０を含む。
【００１９】
アレイ基板１１０はマトリックス形態に配置され、透明で導電性である複数の画素電極と、前記各画素電極に駆動電圧を印加する薄膜トランジスタと、前記薄膜トランジスタをそれぞれ作動させるための信号線を含む。
前記信号線は、複数のゲート配線及び複数のデータ配線を含む。前記ゲート配線及び前記データ配線は、互いに異なる方向に交差されるように形成される。前記各単位画素内には前記薄膜トランジスタ及び前記画素電極が形成される。
【００２０】
対向基板１２０は、アレイ基板１１０と向かい合うように配置される。対向基板１２０は全面に配置され透明で導電性である共通電極及び前記単位画素と一対一で対応される複数のカラーフィルタを含む。
液晶層１３０は、アレイ基板１１０及び対向基板１２０の間に介在され、前記画素電極及び前記共通電極の間に形成された電場によって再配列される。再配列された液晶層１３０は、外部から印加された光の光透過率を調節する。
【００２１】
印刷回路基板１４０は、外部から入力された外部制御信号を画像を表示するための画像制御信号に変更させる。印刷回路基板１４０は、フレキシブル回路フィルム１５０がベンディングされることにより、アレイ基板１１０の下部に配置される。印刷回路基板１４０は、データ印刷回路基板及びゲート印刷回路基板を含むことができる。本実施例において、前記ゲート印刷回路基板は、アレイ基板１１０及びフレキシブル回路フィルム１５０に別途の信号配線を形成することにより、省略した。
【００２２】
フレキシブル回路フィルム１５０は、印刷回路基板１４０とアレイ基板１１０を電気的に連結して、印刷回路基板１４０から発生した画像制御信号をアレイ基板１００に提供する。フレキシブル回路フィルム１５０は、前記画像制御信号を前記薄膜トランジスタ（図示せず）を駆動させるための駆動信号に変更させる駆動チップ（図示せず）を更に含むことができる。フレキシブル回路フィルム１５０は、例えば、テープキャリアパッケージ（ＴＣＰ）又はチップオンフィルム（ＣＯＦ）である。ここで、前記駆動チップは、フレキシブル回路フィルム１５０でないアレイ基板１１０上に配置されることもできる。
【００２３】
バックライトアセンブリ２００は、表示パネル１００の下部に配置され表示パネル１００に光を提供する。バックライトアセンブリ２００は、光を発生させるバックライトアセンブリ２１０及びバックライトアセンブリ２１０を収納する収納容器２２０を含む。
バックライトアセンブリ２１０は、光を発生させて表示パネル１００に光を提供して画像を表示する。バックライトアセンブリ２１０は、駆動基板２１２及び発光ダイオード２１４を含む。
【００２４】
駆動基板２１０は、発光ダイオード２１４を制御するための制御配線（図示せず）及び発光ダイオード２１４に電源を供給する電源配線（図示せず）を含む。
発光ダイオード２１４は駆動基板２１０上に配置され、光を発生させる。発光ダイオード２１４は前記制御配線と連結され制御され、前記電源配線と電気的に連結され電源の供給を受ける。
【００２５】
発光ダイオード２１４は、赤色光を発光する赤色発光ダイオード、緑色光を発光する緑色発光ダイオード、及び青色光を発光する青色発光ダイオードを含むことができる。又は、発光ダイオード２１４は白色光を発光する白色発光ダイオードを含むことができる。
発光ダイオード２１４は、互いに一定の間隔に離隔して配置されることが好ましい。一例として、発光ダイオード２１４は、マトリックス形態に配置されることができる。本実施例での発光ダイオード２１４はローカルディミング方式（ｌｏｃａｌ  ｄｉｍｍｉｎｇ  ｍｅｔｈｏｄ）によって駆動される。即ち、発光ダイオード２１４は複数の単位ブロックＢＬに区分され個別的に駆動される。
【００２６】
収納容器２２０は、一例として、底部２２２及び底部２２２のエッジから延長された側部２２４を含み、収納空間を形成する。収納容器２２０はバックライトアセンブリ２１０を収納し、好ましく、表示パネル１００もバックライトアセンブリ２１０上に共に収納する。
バックライトアセンブリ２００は、表示パネル１００及びバックライトアセンブリ２１０の間に配置され光学特性を向上させる光学シート類（図示せず）を更に含むことができる。一例として、前記光学シート類は光の輝度均一性を向上させる拡散板及び光の正面輝度を増加させる少なくとも１つのプリズムシートを含むことができる。
【００２７】
コントローラユニット３００は、表示パネル１００及びバックライトアセンブリ２１０と電気的に連結され、表示パネル１００及びバックライトアセンブリ２１０を制御する。コントローラユニット３００は、制御回路３１０、第１コネクティングケーブル３２０、第２コネクティングケーブル３３０、及び第３コネクティングケーブル３４０を含むことが好ましい。
【００２８】
例を挙げて説明すると、制御回路３１０は、第１コネクティングケーブル３２０を通じて外部のメインシステム（図示せず）と電気的に連結され、第２コネクティングケーブル３３０を通じて表示パネル１００の印刷回路基板１４０と電気的に連結され、第３コネクティングケーブル３４０を通じてバックライトアセンブリ２１０と電気的に連結される。
制御回路３１０は、前記メインシステム（図示せず）から回路制御信号の印加を受けて、画像制御信号及び光源制御信号を発生させる。前記画像制御信号は表示パネル１００に印加され、前記各単位画素内の薄膜トランジスタを駆動する。前記光源制御信号はバックライトアセンブリ２１０に印加され、発光ダイオード２１４を単位ブロックＢＬ別に個別的に駆動して発光させる。
【００２９】
一方、図１ではバックライトアセンブリ２１０の駆動基板２１２が１つの単一基板で形成され発光ダイオード２１４を駆動すると図示した。しかし、これと異なり、駆動基板２１２は、単位ブロックＢＬと対応される複数の単位基板を含むことができる。即ち、図１と異なり、前記単位基板の１つに１つの単位ブロックＢＬが配置され駆動されることができる。
【００３０】
図２は、図１で発光ダイオードが単位ブロックに区分された状態を示す平面図で、図３は、図２で互いに隣り合う第１単位ブロック及び第２単位ブロックを拡大して図示した平面図である。
図２及び図３を参照すると、発光ダイオード２１４は複数の単位ブロックＢＬに区分され、各単位ブロックＢＬ別に駆動され光を発生させる。
【００３１】
本実施例において、単位ブロックＢＬのそれぞれの外郭は、隣り合う単位ブロックＢＬの外郭と互いにかみ合うようにギア鋸の歯形状を有する。
以下、各単位ブロックＢＬの形状をより具体的に説明する。
まず、単位ブロックＢＬは第１単位ブロックＢＬ１及び第１単位ブロックＢＬ１とかみ合うように隣り合う第２単位ブロックＢＬ２を含む。即ち、互いにかみ合って配置された単位ブロックＢＬのうちの１つは第１単位ブロックＢＬ１で、他の１つは第２単位ブロックＢＬ２である。
【００３２】
ここで、第２単位ブロックＢＬ２は、第１単位ブロックＢＬ１を中心に同一角度ずつ回転された位置に配置され、第１単位ブロックＢＬ１とかみ合うように隣り合う。これと同様に、第１単位ブロックＢＬ１は第２単位ブロックＢＬ２を中心に同一角度ずつ回転された位置に配置され、第２単位ブロックＢＬ２とかみ合うように隣り合う。
前記同一角度は３６０°をＮ（３以上の自然数）に分けた角度を有する。即ち、前記同一角度は、１２０°、９０°、７２°、６０°、５１．４°、４５°、…等の角度を有することができるが、好ましく、９０°及び６０°のうち、いずれか１つを有することが好ましい。この際、前記同一角度が９０°である時、単位ブロックＢＬは概ね長方形又は正方形と類似な形状を有し、前記同一角度が６０°である時、単位ブロックＢＬは概ね正六角形と類似な形状を有する。ここで、図２では前記同一角度が９０°である場合を一例として図示した。
【００３３】
一方、互いにかみ合うように隣り合う第１単位ブロックＢＬ１及び第２単位ブロックＢＬ２は互いに同一形状を有することが好ましいが、互いに異なる形状を有することもできる。ここで、図２及び図３では、第１単位ブロックＢＬ１及び第２単位ブロックＢＬ２が互いに異なる形状を有することを一例として図示した。
又、第１単位ブロックＢＬ１の外郭及び第２単位ブロックＢＬ２の外郭は、三角形形状のギア鋸の歯形状を有するか、四角形形状のギア鋸の歯形状を有することが好ましいが、梯形形状のギア鋸の歯形状を有することもできる。この際、前記三角形は二等辺三角形で、前記四角形は長方形で、前記梯形は二等辺梯形である。ここで、図２では第１単位ブロックＢＬ１の外郭及び第２単位ブロックＢＬ２の外郭が三角形形状のギア鋸の歯形状を有することを一例として図示した。
【００３４】
以下、第１単位ブロックＢＬ１及び第２単位ブロックＢＬ２が互いに異なる形状を有する場合を例として詳細に説明する。
図３を参照すると、第２単位ブロックＢＬ２は第１単位ブロックＢＬ１を中心に９０°に回転された位置に配置される。図３に図示されてはいないが、第１単位ブロックＢＬ１の周辺に４つの第２単位ブロックＢＬ２が配置されることができる。その結果、単位ブロックＢＬ、即ち、第１単位ブロックＢＬ１及び第２単位ブロックＢＬ２は概ね長方形又は正方形と類似な形状を有する。又、第１単位ブロックＢＬ１の外郭及び第２単位ブロックＢＬ２の外郭は、三角形形状のギア鋸の歯形状を有する。
【００３５】
ここで、第１単位ブロックＢＬ１及び第２単位ブロックＢＬ２の形状を互いに比較すると、最も大きな差異点は角部分で発生する。具体的に説明すると、第１単位ブロックＢＬ１は角部分で若干突出された形状を有するが、第２単位ブロックは角部分突出形状を有しない。又、第１単位ブロックＢＬ１の外郭に形成された三角形の個数は、第２単位ブロックＢＬ２の外郭に形成された三角形の個数より若干多い。例えば、第１単位ブロックＢＬ１には、角部に４つの四角形があり、角部と角部との間にそれぞれ２つの三角形が、合計で８個配列されている。一方、第２単位ブロックＢＬ２には、角部に４つの四角形があり、角部と角部との間にそれぞれ１つの三角形が、合計で４個配列されている。よって、第２単位ブロックＢＬ２よりも第１単位ブロックＢＬ１の方が、外郭に形成された三角形の個数が多い。
【００３６】
一方、発光ダイオード２１４は、各単位ブロックＢＬ内に同一間隔に離隔され、同一密度分布を有して配置される。
発光ダイオード２１４は、第１単位ブロックＢＬ１の中心及び第２単位ブロックＢＬ２の中心を結ぶ仮想を中心線ＣＬに対して平行であるか、垂直な方向に沿って配置されることが好ましいが、これと異なり、前記中心線ＣＬを基準に所定の角度に傾斜する方向に沿って配列されることもできる。一例として、図３では発光ダイオード２１４は、中心線ＣＬに対して４５°傾斜する方向に沿って配置されたことを図示した。
【００３７】
このように本実施例によると、各単位ブロックＢＬの外郭が隣り合う単位ブロックＢＬの外郭とかみ合うようにギア鋸の歯形状を有することにより、単位ブロックＢＬの境界地点で輝度の差異が大きくなることを防止することができる。
図４は、従来の単位ブロックＢＬ’を示す平面図であり、図２の単位ブロックと従来の単位ブロックを互いに比較するための平面図である。
【００３８】
図４を参照して、単位ブロックＢＬの境界地点で輝度の差異が大きくなることが防止される理由を説明する。
まず、単位ブロックＢＬ’は長方形又は正方形形状を有して、その結果、従来の単位ブロックＢＬ’の外郭は隣り合う単位ブロックＢＬ’の外郭と一直線に会う。このように、互いに隣り合う単位ブロックＢＬ’が一直線に向かい合う場合、互いに隣り合う単位ブロックＢＬ’の境界面で輝度の差異が明確に表れる。
【００３９】
しかし、本実施例のように、各単位ブロックＢＬの外郭が隣り合う単位ブロックＢＬの外郭とかみ合うようにギア鋸の歯形状を有する場合、互いに隣り合う単位ブロックＢＬの境界付近にミキシング領域（Ｍｉｘｉｎｇ  Ａｒｅａ）が形成される。即ち、第１単位ブロックＢＬ１及び第２単位ブロックＢＬ２が互いに会う部分で前記ミキシング領域が形成される。
【００４０】
従って、第１単位ブロックＢＬ１内の発光ダイオード２１４は発光され、第２単位ブロックＢＬ２内の発光ダイオード２１４は発光されない時、前記ミキシング領域では第１単位ブロックＢＬ１での輝度と第２単位ブロックＢＬ２での輝度の中間値を有する。これによって、第１単位ブロックＢＬ１及び第２単位ブロックＢＬ２の境界地点で輝度の差異が明確に表れることを防止することができる。
【００４１】
一方、前記ミキシング領域では赤色発光ダイオード、緑色発光ダイオード、及び青色発光ダイオードが配置され白色光を具現することより、白色発光ダイオードで白色光を具現することが好ましい。なぜなら、前記ミキシング領域が前記赤色発光ダイオード、前記緑色発光ダイオード、及び前記青色発光ダイオードが全部配置されるのが困難な場合があるためである。
【００４２】
図５は、発光ダイオードが図２と異なる形態の単位ブロックに区分された状態を示す平面図である。以下、図２と異なる形態を有する単位ブロックを例として説明する。
図５を参照すると、単位ブロックＢＬは、図２と異なり全部同一形状を有する。即ち、互いに隣り合う第１単位ブロックＢＬ１及び第２単位ブロックＢＬ２は互いに同一形状を有する。
【００４３】
第２単位ブロックＢＬ２は第１単位ブロックＢＬ１を中心に９０°に回転された位置に配置され、第１単位ブロックＢＬ１とかみ合うように隣り合う。即ち、各単位ブロックＢＬは大体に長方形又は正方形と類似な形状を有する。又、単位ブロックＢＬの外郭は長方形形状のギア鋸の歯形状を有する。
図６は、図５の単位ブロックを拡大して示す平面図である。
【００４４】
図６を参照すると、図５に図示された単位ブロックＢＬの形状をより具体的に説明する。まず、単位ブロックＢＬは本体部１０、メイン枝部２０、及びサブ枝部３０を含む。
本体部１０は平面的に見た時、長方形又は正方形を有する。メイン枝部２０は複数個が本体部１０から上下左右に平行に形成され、長方形形状を有する。
サブ枝部３０は、メイン枝部２０のうち、角領域ＭＡと接する外郭メイン枝部２２から角領域ＭＡに突出され形成され、長方形又は正方形形状を有する。
【００４５】
ここで、角領域ＭＡは単位ブロックＢＬの４つの角に形成された領域を意味し、長方形又は正方形形状を有する。従って、サブ枝部３０は４つが形成される。
一方、４つのサブ枝部３０が集まる場合、４つのサブ枝部３０は１つの角領域ＭＡを完全に満たすことができる。
図７は、発光ダイオードが図２と更に異なる形態の単位ブロックに区分された状態を示す平面図である。
【００４６】
図７を参照すると、単位ブロックＢＬは全部同一形状を有する。即ち、互いに隣り合う第１単位ブロックＢＬ１及び第２単位ブロックＢＬ２は互いに同一形状を有する。
一方、第２単位ブロックＢＬ２は第１単位ブロックＢＬ１を中心に６０°に回転された位置に配置され、第１単位ブロックＢＬ１とかみ合うように隣り合う。即ち、各単位ブロックＢＬは大体に正六角形と類似な形状を有する。又、単位ブロックＢＬの外郭は二等辺三角形形状のギア鋸の歯形状を有する。
【００４７】
図８は、図７の単位ブロックを拡大して示す平面図である。
図８を参照すると、図７に図示された単位ブロックＢＬの形状をより具体的に説明すると、各単位ブロックＢＬは正六角形ラインＨＥを基準として突出又は陥没された形状を有する。この際、突出された部分及び陥没された部分は全部二等辺三角形形状を有し、互いに同一面積を有する。又、正六角形ラインＨＥの６つの辺に対応される単位ブロックＢＬの外郭は互いに同一形状及びサイズを有する。
【００４８】
一方、本発明による単位ブロックＢＬは、一例として、４つの場合における実施例を利用して説明したが、これと異なる多様な形状を有することもできる。例えば、各ブロック間の輝度差が小さくなるように、互いのブロックが嵌め合えば良く、各ブロックの形状は上記に限定されない。
このような本発明によると、各単位ブロックの外郭が隣り合う単位ブロックの外郭とかみ合うようにギア鋸の歯形状を有することにより、単位ブロックの境界地点で輝度の差異が大きく発生することを防止することができ、その結果、表示装置の表示品質がより向上されることができる。
【００４９】
即ち、互いに隣り合う単位ブロックが一直線に会うことにより、単位ブロックの境界面で輝度の差異が明確に示したが、各単位ブロックの外郭が隣り合う単位ブロックの外郭とかみ合うようにギア鋸の歯形状を有する場合、互いに隣り合う単位ブロックの境界付近に中間程度の輝度を有するミキシング領域が形成され、単位ブロックの境界地点で輝度の差異が明確に示すことを防止することができる。
【００５０】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００５１】
本発明は、バックライトアセンブリ、バックライトアセンブリを用いた表示装置などに適用可能である。
【図面の簡単な説明】
【００５２】
【図１】本発明の一実施例による表示装置を示す分解斜視図である。
【図２】図１で発光ダイオードが単位ブロックに区分された状態を示す平面図である。
【図３】図２で互いに隣り合う第１単位ブロック及び第２単位ブロックを拡大して示す平面図である。
【図４】図２の単位ブロックと他の実施例の単位ブロックを互いに比較するための平面図である。
【図５】発光ダイオードが図２と異なる形態の単位ブロックに区分された状態を示す平面図である。
【図６】図５の単位ブロックを拡大して示す平面図である。
【図７】発光ダイオードが図２と更に異なる形態の単位ブロックに区分された状態を示す平面図である。
【図８】図７の単位ブロックを拡大して示す平面図である。
【符号の説明】
【００５３】
１００    表示パネル
１１０    アレイ基板
１２０    対向基板
１３０    液晶層
１４０    印刷回路基板
１５０    フレキシブル回路基板
２００    バックライトアセンブリ
２１０    バックライトアセンブリ
２１２    駆動基板
２１４    発光ダイオード
２２０    収納容器
３００    コントローラユニット
４００    表示装置
【図１】
2008147187.tif 000003
【図２】
2008147187.tif 000004
【図３】
2008147187.tif 000005
【図４】
2008147187.tif 000006
【図５】
2008147187.tif 000007
【図６】
2008147187.tif 000008
【図７】
2008147187.tif 000009
【図８】
2008147187.tif 000010